(57)【要約】【課題】弦長の異なる複数の弦を有する弦楽器において、高次倍音を付加した響きを、これら複数の弦において均一、かつ、十分に得ることの可能なブリッジを提供する。【解決手段】弦３は、第１支持点Ｐ１と第２支持点Ｐ２との間の間隔によって定まる弦長を有している。弦３は、弦３のうちの少なくとも２本の各弦において、それぞれ異なる各弦長を有している。ブリッジ７は、第１支持点Ｐ１と、第１支持点Ｐ１よりも第２支持点Ｐ２側にあって弦３の振動時に弦３の接触する凸曲面７１とを有している。凸曲面７１は、少なくとも２本の各弦と接触する各箇所において、より短い弦長を有する弦と接触する箇所の方が、より長い弦長を有する弦と接触する箇所よりも、小さい曲率半径を有する形状である。【選択図】図４
2019082511.tif 000002
【特許請求の範囲】
【請求項１】
弦楽器用のブリッジであって、
前記弦楽器は、複数の弦を有しており、
前記弦は、第１支持点と第２支持点との間の間隔によって定まる弦長を有しており、
前記弦は、前記弦のうちの少なくとも２本の各弦において、それぞれ異なる各弦長を有しており、
前記ブリッジは、前記第１支持点と、前記第１支持点よりも前記第２支持点側にあって前記弦の振動時に前記弦の接触する凸曲面とを有しており、
前記凸曲面は、前記少なくとも２本の各弦と接触する各箇所において、より短い弦長を有する弦と接触する箇所の方が、より長い弦長を有する弦と接触する箇所よりも、小さい曲率半径を有する形状である、
弦楽器用ブリッジ。
【請求項２】
請求項１に記載の弦楽器用ブリッジであって、
前記ブリッジは、前記少なくとも２本の各弦を支持する各第１支持点において、同じ弦高を有する、
弦楽器用ブリッジ。
【請求項３】
請求項１又は２に記載の弦楽器用ブリッジであって、
前記弦楽器は、更に、弦励振部を含んでおり、
前記弦励振部は、電気信号によって駆動され、前記電気信号に応じた励振信号を前記弦に与えて励振するものである、
弦楽器用ブリッジ。
【請求項４】
請求項１又は２に記載の弦楽器用ブリッジと、複数の弦とを含む弦楽器であって、
前記弦は、第１支持点と第２支持点との間の間隔によって定まる弦長を有しており、
前記弦は、前記弦のうちの少なくとも２本の各弦において、それぞれ異なる各弦長を有している、
弦楽器。
【請求項５】
請求項４に記載の弦楽器であって、更に、弦励振部を含んでおり、
前記弦励振部は、電気信号によって駆動され、前記電気信号に応じた励振信号を前記弦に与えて励振するものである、
弦楽器。
【請求項６】
請求項５に記載の弦楽器であって、
前記電気信号は、前記弦励振部及び前記弦を含む正帰還発振回路ループ内に生じたものである、
弦楽器。
【発明の詳細な説明】
【技術分野】
【０００１】
本発明は、弦楽器用ブリッジ、及び、弦楽器に関する。
【背景技術】
【０００２】
高次倍音成分を付加するためのジャワリと呼ばれるブリッジと、共鳴弦を持つ楽器としては、インド古典楽器のシタールが知られている他、特許文献１に開示されている装置を取り付けたヴィオール族の楽器がある。シタールや、特許文献１に開示されている装置を取り付けた楽器は、直接演奏するための主弦と、主に共鳴させるための共鳴弦を備え、共鳴弦の一端をジャワリブリッジが支える。
【０００３】
ジャワリブリッジは、弦との接触面が、僅かに湾曲する凸曲面であることを特徴としており、弦の振動時に、弦振動の端部となる第１支持点に加え、前記第１支持点よりも振動側の位置で、弦を凸曲面と接触させることにより、高次倍音成分の付加された弦振動音を発生させる。その構造については、特許文献１の他、特許文献２や、特許文献３、特許文献４等にも開示されている。
【０００４】
共鳴弦は、このジャワリブリッジに支えられなければ、主弦で弾かれた音の残響を響かすのみだが、共鳴弦がこのジャワリブリッジに支えられることにより、高次倍音成分の付加された共鳴音が、主弦で弾かれた音から遅れたタイミングで立ち上がるように響く。
【０００５】
例えば、特許文献３には、弦を支持するブリッジ上面(サドル部材上面)が弦方向に沿って緩やかな曲面形状に形成され、弦の振動時に、振動終端となる第１接触位置(弦第１支持点)とその位置よりも振動側の少なくとも一箇所以上の第２接触位置の合計二箇所以上で接触することにより、高次成分の豊富な倍音が発生する旨説明されている。
【０００６】
また、高次倍音成分が付加された持続音を鳴らし続けるための楽器に、インド古典楽器のタンブーラがある。タンブーラは、通常、４〜５本の弦と、ジャワリブリッジとを有し、これらの弦を、演奏者が、ほぼ一定のリズムで順番に鳴らし続け、高次倍音成分が複雑に絡み合った持続音を響かせる。
【先行技術文献】
【特許文献】
【０００７】
【特許文献１】米国特許第５，８８３，３１８号明細書
【特許文献２】米国特許第３，４２２，７１５号明細書
【特許文献３】特開２００１−２７２９７２号公報
【特許文献４】特開２０１３−２３８８３５号公報
【発明の概要】
【発明が解決しようとする課題】
【０００８】
しかしながら、従来の技術においては、弦長と、ブリッジ上の凸曲面の曲率半径との関係ついては、考慮されていなかった。このため、弦長の異なる複数の弦を支持する場合に、ある弦では最適な接触が得られても、他の一部の弦では最適な接触が得られず、高次倍音を付加した響きを、全ての弦において、均一、かつ、十分に得られないことがあった。
【０００９】
本発明の課題は、高次倍音を付加した響きを、弦長の異なる複数の弦において、均一、かつ、十分に得ることの可能な、弦楽器用ブリッジ、及び、弦楽器を提供することである。
【課題を解決するための手段】
【００１０】
上述した課題を解決するため、本発明に係る弦楽器用ブリッジは、弦楽器用のブリッジであって、前記弦楽器は、複数の弦を有している。前記弦は、第１支持点と第２支持点との間の間隔によって定まる弦長を有している。前記弦は、前記弦のうちの少なくとも２本の各弦において、それぞれ異なる各弦長を有している。
【００１１】
前記ブリッジは、前記第１支持点と、前記第１支持点よりも前記第２支持点側にあって前記弦の振動時に前記弦の接触する凸曲面とを有している。
【００１２】
前記凸曲面は、前記少なくとも２本の各弦と接触する各箇所において、より短い弦長を有する弦と接触する箇所の方が、より長い弦長を有する弦と接触する箇所よりも、小さい曲率半径を有する形状である。
【００１３】
発明者による検討の結果、弦長の異なる複数の弦を有する弦楽器において、ブリッジ上の凸曲面は、弦の振動時に各弦と接触する各箇所において、より短い弦長を有する弦と接触する箇所の方が、より長い弦長を有する弦と接触する箇所よりも、小さい曲率半径を有する形状が適していることがわかった。これは、弦長の異なる複数の弦において、各弦の基本振動の最大振幅が同じであるときに、第１支持点付近での弦の振幅は、弦長が短いほど大きくなるためであると考えられる。
【００１４】
例えば、第１支持点付近での弦の振幅に対して、凸曲面の曲率半径が大きすぎると、弦と凸曲面とが接触しすぎてしまう。このため、弦の振動が妨げられてしまい、音が小さくなってしまったり、音がすぐに鳴り止んでしまったりする。また、高次倍音の振動も妨げられてしまい、響きにくくなってしまう。したがって、第１支持点付近での弦の振幅が大きいほど、凸曲面の曲率半径を小さくする必要がある。したがって、ブリッジ上の凸曲面の形状は、凸曲面と接触する弦の弦長が短いほど、小さな曲率半径を有する形状が適している。
【００１５】
反対に、第１支持点付近での弦の振幅に対して、凸曲面の曲率半径が小さすぎると、弦と凸曲面との接触が起こりにくくなる。このため、弦の振幅が大きな時にしか高次倍音が付加されなくなってしまったり、弦と凸曲面との接触が起こらずに、高次倍音が付加されなくなってしまったりする。したがって、第１支持点付近での弦の振幅が小さいほど、凸曲面の曲率半径を大きくする必要がある。したがって、ブリッジ上の凸曲面の形状は、凸曲面と接触する弦の弦長が長いほど、大きな曲率半径を有する形状が適している。
【００１６】
上述した弦楽器用ブリッジによると、ブリッジ上の凸曲面は、弦の振動時に各弦と接触する各箇所において、より短い弦長を有する弦と接触する箇所の方が、より長い弦長を有する弦と接触する箇所よりも、小さい曲率半径を有する形状である。したがって、ブリッジ上の凸曲面は、弦長の異なる複数の弦３との接触を、均一、かつ、十分に得ることができる。また、高次倍音を付加した響きを、弦長の異なる複数の弦において、均一、かつ、十分に得ることができる。
【発明の効果】
【００１７】
以上述べたように、本発明によれば、高次倍音を付加した響きを、弦長の異なる複数の弦において、均一、かつ、十分に得ることができる。
【００１８】
本発明の他の目的、構成及び利点については、添付図面を参照し、更に詳しく説明する。添付図面は、単に、例示に過ぎない。
【図面の簡単な説明】
【００１９】
【図１】本発明に係る弦楽器の外観斜視図である。
【図２】図１に示した弦楽器を裏面側から見た斜視図である。
【図３】図１及び図２に示した弦楽器の裏面板を取り除いて示した斜視図である。
【図４】図３に示した弦楽器の補強材を省略して示した斜視図である。
【図５】図４に示した弦楽器のブリッジの部分を拡大して示す斜視図である。
【図６】図５に示したブリッジの弦支持部を拡大して示す図である。
【図７】図６のVII-VII線に沿った断面図である。
【図８】図６のVIII-VIII線に沿った断面図である。
【図９】図６のIX-IX線に沿った断面図である。
【図１０】図６のX-X線に沿った断面図である。
【図１１】図６及び図１３のXI-XI線に沿った共通の断面図である。
【図１２】図６のXII-XII線に沿った断面図である。
【図１３】本発明に係る弦楽器用ブリッジを構成する弦支持部の別の実施例を示す図である。
【図１４】図１３、図１９、図２４及び図２８のXIV-XIV線に沿った共通の断面図である。
【図１５】図１３、図１９及び図２４のXV-XV線に沿った共通の断面図である。
【図１６】図１３のXVI-XVI線に沿った断面図である。
【図１７】図１３のXVII-XVII線に沿った断面図である。
【図１８】図１３のXVIII-XVIII線に沿った断面図である。
【図１９】本発明に係る弦楽器用ブリッジを構成する弦支持部の更に別の実施例を示す図である。
【図２０】図１９及び図２４のXX-XX線に沿った共通の断面図である。
【図２１】図１９のXXI-XXI線に沿った断面図である。
【図２２】図１９のXXII-XXII線に沿った断面図である。
【図２３】図１９のXXIII-XXIII線に沿った断面図である。
【図２４】本発明に係る弦楽器用ブリッジを構成する弦支持部の更に別の実施例を示す図である。
【図２５】図２４のXXV-XXV線に沿った断面図である。
【図２６】図２４のXXVI-XXVI線に沿った断面図である。
【図２７】図２４のXXVII-XXVII線に沿った断面図である。
【図２８】本発明に係る弦楽器用ブリッジを構成する弦支持部の更に別の実施例を示す図である。
【図２９】図２８のXXIX-XXIX線に沿った断面図である。
【図３０】図２８のXXX-XXX線に沿った断面図である。
【図３１】図２８のXXXI-XXXI線に沿った断面図である。
【図３２】図２８のXXXII-XXXII線に沿った断面図である。
【図３３】本発明に係る弦楽器の弦の振幅を説明する概略図である。
【図３４】図２８のXXXIVの部分を拡大して示す図である。
【図３５】本発明に係る弦楽器の別の実施例を示す外観斜視図である。
【図３６】図３５に示した弦楽器を裏面側から見た斜視図である。
【図３７】図３５及び図３６に示した弦楽器の裏面板を取り除いて示した斜視図である。
【図３８】図３７に示した状態で、ブリッジの部分を拡大して示す図である。
【図３９】本発明に係る弦楽器の別の実施例を示す外観斜視図である。
【図４０】図３９に示した弦楽器を裏面側から見た斜視図で、裏面板を取り除いて示してある。
【図４１】図３９及び図４０に示した弦楽器を長手方向の任意の位置で切断して示す斜視図である。
【図４２】本発明に係る弦楽器の更に別の実施例を示す外観斜視図である。
【図４３】図４２に示した弦楽器の弦励振部を拡大して示す斜視図である。
【図４４】本発明に係る弦楽器の別の実施例における弦励振部及びブリッジの部分を示す図である。
【図４５】弦励振部を構成するのに適した励振器（ボイスコイル）の一例を示す断面図である。
【図４６】弦励振部を構成する励振器（ボイスコイル）の別の例を示す断面図である。
【図４７】本発明に係る弦楽器の更に別の実施例を示す斜視図である。
【図４８】本発明に係る弦楽器の更に別の実施例を示す外観斜視図である。
【図４９】図４８に示した弦楽器を、裏面板を取り除いて示す斜視図である。
【図５０】図４９に示した弦楽器の弦励振部を拡大して示す斜視図である。
【図５１】本発明に係る弦楽器の更に別の実施例を示す外観斜視図である。
【図５２】図５１に示した弦楽器を、裏面板を取り除いて示す斜視図である。
【図５３】本発明に係る弦楽器の更に別の実施例を示す図で、裏面板を取り除いて示した斜視図である。
【図５４】図５３に示した弦楽器の励振・ピックアップ構造を拡大して示す斜視図である。
【図５５】図５４に示した励振・ピックアップ構造を側面側から見た図である。
【図５６】図１〜図５２に示した弦楽器及び電子回路と、その音響情報の流れを示すブロック図である。
【図５７】図５６に示した弦楽器及び外部電気・電子回路と、音響情報の流れを示すブロック図である。
【図５８】図５３〜図５５に示した弦楽器及び電子回路と、その音響情報の流れを示すブロック図である。
【図５９】図５８に示した弦楽器及び外部電気・電子回路と、その音響情報の流れを示すブロック図である。
【図６０】図５８に示した電子回路の一部を抽出して示す図である。
【発明を実施するための形態】
【００２０】
図１〜図６０を通して、互いに対応する部分については、同一の参照符号を付し、重複説明を省略することがある。図１〜図６０のうち、図１〜図５２は、ジャワリブリッジを用いた弦楽器（第１のタイプと称する）の例を示し、図５３〜図５５はジャワリブリッジと発振回路を用いた弦楽器（第２のタイプ）の例を示す。
【００２１】
１．第１のタイプの弦楽器
第１のタイプについて、まず、図１〜図１２を参照するに、図示の弦楽器は、ボディ部１と、複数の弦３と、弦励振部５と、ブリッジ７とを含む。ボディ部１は、内部空間１００と、内部空間１００を画定する表面板１０１、裏面板１０２、上面板１０７、底面板１０８及び２枚の側面板１０３、１０４を有する。もっとも、内部空間１００及びそれを画定する裏面板１０２、上面板１０７、底面板１０８及び側面板１０３、１０４の全てを備えることは、必ずしも必須ではない。上面板１０７、底面板１０８及び２枚の側面板１０３、１０４は、補強材１０２０〜１０２６によって補強されている。
【００２２】
内部空間１００を画定する表面板１０１〜１０４、１０７、１０８は、木製でもよいし、その一部又は全体が金属、非金属又はそれらの材料を組み合わせた複合材料で構成されていてもよい。非金属材料には、カーボン・グラファイト、炭素繊維、グラスファイバ等の合成繊維もしくは合成樹脂またはそれらの複合材料等が含まれる。例えば、繊維強化プラスチック等で構成されていてもよい。また、これらの材料のラミネート板等を用いることもできる。
【００２３】
ボディ部１は、この実施例では、六面体状であるが、それに限定する趣旨ではない。内部空間１００を持たない平板状であってもよいし、外形形状が曲面等を含む他の形状であってもよい。更に、ボディ部１は、ある部分では、音響効果を高めるのに適した薄い厚みとし、他の部分では、厚みを増大させ、機械的強度を増加させる等の処理が施される。薄い部分を繊維強化プラスチック等の軽量材料で構成し、他の部分を金属材料等の高強度材料で構成してもよい。もっとも、弦楽器自体から生じる音に依拠せずに、弦３に生じた振動を電気・電子回路によって増幅する等して、外部に出す場合には、ボディ部１を、薄い部分を設けずに、全体として厚くして、機械的強度を優先させる構造としてもよい。この構造は、ボディ部１を、外部からの音圧の影響を受けにくい構造とする場合も有効である。
【００２４】
表面板１０１〜１０４、１０７、１０８のうち、表面板１０１には、貫通孔１１１が開けられている。表面板１０１の端には、チューニング・ペグ９が配置されている。チューニング・ペグ９は、表面板１０１を貫通して取り付けられ、表面板１０１の外側にペグ９０１〜９１３のつまみ部が配置されている。実施例では、表面板１０１に貫通孔１１１が設けられているから、貫通孔１１１を通して、指先で各弦を鳴らしながらチューニング用のペグ９０１〜９１３を使って調弦することができる。ペグ９０１〜９１３は、弦３の本数に合わせて備えられる。したがって、弦３の本数が変われば、ペグ９０１〜９１３の数も変わる。この実施例では、１３本の弦単線３０１〜３１３が備えられているから、１３本のペグ９０１〜９１３が備えられている。
【００２５】
表面板１０１と向き合う裏面板１０２の側の外面には、三角形の３頂点に立つ３つの脚部１５１〜１５３が立設されている。この３つの脚部１５１〜１５３によってボディ部１を支えることにより、設置面に歪みがあったとしても、必ず全ての脚部１５１〜１５３が設置面と接触して支える。この実施の形態では、更に、底面板の外側にも、底面板から迫り出して本体を支える脚部１５６〜１５８が立設されている。この底面側の３つの脚部１５６〜１５８によって、ボディ部１を縦に起こした状態で支えることができる。
【００２６】
２つの側面板１０３、１０４のうち、側面板１０４には、電源スイッチ兼入力ボリューム用のポット１２１、オリジナル・ボリューム用のポット１２２、出力ボリューム用のポット１２３、入力ジャック１３１、出力ジャック１３２、電源ジャック１３３が配置されている。電源ジャック１３３から電源を供給する構造の他、電池を内蔵する構造や、電源ジャック１３３から充電可能なバッテリを内蔵する構造等を採用することもできる。
【００２７】
弦３、弦励振部５及びブリッジ７は、ボディ部１の内部空間１００に配置されている。まず、弦３は、１３本の弦単線３０１〜３１３を、間隔をおいて平行配置したものである。したがって、１２音平均律の各音に調律することができる他、音階の中の特徴的なピッチについて、複数の弦が同じ音程を受け持つことにより、特定の音階に調律することもできる。また、微分音程からなる任意の音律に調律することもできる。もっとも、弦単線３０１〜３１３の本数は増減できる。
【００２８】
実施例に示す弦３は、磁性金属線であるが、実施の形態によっては、非磁性線を用いることもできる。弦３の弦単線３０１〜３１３は、一端が、上面板１０７の側において、表面板１０１の内面に設けたテールピース１４２によって固定され、表面板１０１の内面に添って、上面板１０７と対向する底面板１０８の方向に導かれる。テールピース１４２は、表面板１０１の内面に形成された取付部１４１に、ネジ１４３等によって固定されている（後述の図３８参照）。弦３の各弦単線３０１〜３１３は、更に、表面板１０１の内面に立設されたピン１６１〜１７３に架けられ、他端が、表面板１０１の表面側から内面側に貫通させたペグ９０１〜９１３の巻取軸９２１〜９３３に巻き取られる。実施例では、弦３の各弦単線３０１〜３１３に対するピン１６１〜１７３の位置を互いに異ならせ、それによって弦長を異ならせることにより、広い音域をカバーしている。音域は、弦長の他、張力及び線密度等によっても調整することができる。
【００２９】
ボディ部１の内部空間１００には、更に、ブリッジ７及び弦励振部５が設けられている。ブリッジ７の詳細は、図５〜図３２に図示されている。これらの図に示すように、ジャワリブリッジ７は、弦３との接触する面７１が、僅かに湾曲する凸曲面である。弦３は、このジャワリブリッジ７に支えられることにより、高次倍音成分の付加された音を響かせる。
【００３０】
実施例において、弦単線３０１〜３１３は、凸曲面である面７１との接触点を第１支持点Ｐ１とし、ピン１６１〜１７３との接触点を第２支持点Ｐ２１〜P３３とする弦長を有する（図４〜図９参照）。第１支持点Ｐ１は、面７１に対する弦単線３０１〜３１３の傾斜角度によって定まるもので、弦単線３０１〜３１３において、必ずしも一致するものではないが、説明の簡単化のため、一致するものとして説明する。なお、弦単線３０１〜３１３の傾斜角度は、第２支持点Ｐ２１〜P３３における弦支持高さを制御することによって、制御することができる。
【００３１】
第２支持点Ｐ２１〜Ｐ３３は互いに異なる。ジャワリブリッジ７の面７１は、凸曲面となっているので、面７１のうち、第１支持点Ｐ１よりも第２支持点Ｐ２１〜Ｐ３３の側にある面が、弦３に対して微小間隔を隔てて向き合い、弦３の振動時には、弦３の接触する面となる。
【００３２】
なお、面７１のうち、第１支持点Ｐ１よりも第２支持点Ｐ２１〜Ｐ３３の側にあって、弦３の振動時に、弦３の接触する箇所以外は、必ずしも凸曲面である必要は無い。図示は省略されているが、例えば、面７１のうち、隣り合う弦単線の間の位置に、弦３と平行に溝や山が設けられていても良い。
【００３３】
また、面７１のうち、第１支持点Ｐ１よりも第２支持点Ｐ２１〜Ｐ３３の側にない面については、必ずしも凸曲面である必要は無い。図示は省略されているが、例えば、面７１のうち、第１支持点Ｐ１よりもテールピース１４２の側にある面に、弦３を嵌めることができる溝等を設けても良い。
【００３４】
図１〜図５に示した実施の形態では、ブリッジ７は、弦支持部７０と、取付部７５とを含んでいる。弦支持部７０には、図６に示した弦支持部７０が用いられている。ブリッジ７は、個別に形成された弦支持部７０と取付部７５を組み合わせて構成されていても良いし、弦支持部７０と取付部７５を一体形成して構成されていても良い。また、後述の図３５〜図５５に示す実施の形態のように、ブリッジ７は、取付部７５を設けずに、弦支持部７０によって構成されていてもよい。また、図示は省略されているが、弦支持部７０は、各弦単線３０１〜３１３のそれぞれ毎に設けても良い。
【００３５】
弦３のうち、最も弦長の長い弦単線３０１の弦長をＬ１とし、ｎ番目に長い弦長を持つ弦単線の弦長をＬｎとする。図１〜図５に示した実施の形態において、ｎ番目に長い弦長を持つ弦単線の弦長Ｌｎは、下記の式（１）で表される。
【００３６】
【数１】
2019082511.tif 000003
【００３７】
なお、式（１）は、１２音平均律の比率に基づいた弦長にした場合の弦長であるが、その他の比率に基づいた弦長にしても良い。例えば、２４音平均律など、１２音以外の数に分割した平均律の比率に基づいた弦長にしても良い。また、純正律の比率や、種々の微分音を使用した音律に基づいた比率の弦長にしても良い。
【００３８】
発明者による検討の結果、弦長の異なる複数の弦３を有する弦楽器において、面７１の凸曲面は、弦３の振動時に各弦と接触する各箇所において、より短い弦長を有する弦と接触する箇所の方が、より長い弦長を有する弦と接触する箇所よりも、小さい曲率半径を有する形状が適していることがわかった。これは、以下の理由によると考えられる。
【００３９】
図３３及び図３４を参照しながら説明すると、弦長の異なる複数の弦３において、各弦の基本振動の最大振幅が同じとき、第１支持点Ｐ１付近での弦の振幅は、弦長が短いほど大きくなる。なお、実際の弦振動には、各弦の２倍振動以上の、複数の次数の倍音が合成されるが、図３３及び図３４では、説明の簡単化のため、２倍振動以上の倍音を省略している。
【００４０】
例えば、弦単線３０１の基本振動の腹の位置Ａ１での振幅Ａ１０１と、弦単線３１３の基本振動の腹の位置Ａ２での振幅Ａ２１３とが同じ振幅である場合、第１支持点Ｐ１付近の位置Ａ３での弦単線３１３の振幅Ａ３１３は、位置Ａ３での弦単線３０１の振幅Ａ３０１よりも大きくなる。（振幅Ａ１０１）＝（振幅Ａ２１３）のとき、（振幅Ａ３１３）＞（振幅Ａ３０１）となる。
【００４１】
第１支持点Ｐ１付近での弦３の振幅に対して、面７１の曲率半径が大きすぎると、弦３と面７１とが接触しすぎてしまう。このため、弦３の振動が妨げられてしまい、音が小さくなってしまったり、音がすぐに鳴り止んでしまったりする。また、高次倍音の振動も妨げられてしまい、響きにくくなってしまう。したがって、第１支持点Ｐ１付近での弦３の振幅が大きいほど、面７１の曲率半径を小さくする必要がある。したがって、面７１の凸曲面の形状は、凸曲面と接触する弦３の弦長が短いほど、小さな曲率半径を有する形状が適している。
【００４２】
反対に、第１支持点Ｐ１付近での弦３の振幅に対して、面７１の曲率半径が小さすぎると、弦の接触が起こりにくくなる。このため、弦３の振幅が大きな時にしか高次倍音が付加されなくなってしまったり、弦３と面７１との接触が起こらずに、高次倍音が付加されなくなってしまったりする。したがって、第１支持点Ｐ１付近での弦３の振幅が小さいほど、曲率半径を大きくする必要がある。したがって、面７１の凸曲面の形状は、凸曲面と接触する弦３の弦長が長いほど、大きな曲率半径を有する形状が適している。
【００４３】
図６及び、これに関連する図７〜図１２を参照すると、面７１は、各弦単線３０１〜３１３の振動時に、各弦単線３０１〜３１３と接触する、各面７１０１〜７１１３を有している。面７１の、各面７１０１〜７１１３の凸曲面は、曲率半径Ｒ１〜曲率半径Ｒ１３までを有する形状である。面７１の、各面７１０１〜７１１３は、より短い弦長を有する弦と接触する面の方が、より長い弦長を有する弦と接触する面よりも、小さい曲率半径を有する形状である。
【００４４】
図６及び、これに関連する図７〜図１２に示した実施の形態では、面７１の凸曲面は、弦の振動時に各弦単線３０１〜３１３と接触する各箇所において、より短い弦長を有する弦と接触する箇所の方が、より長い弦長を有する弦と接触する箇所よりも、小さい曲率半径を有する形状である。したがって、面７１は、弦長の異なる複数の弦３との接触を、均一、かつ、十分に得ることができる。また、高次倍音を付加した響きを、弦長の異なる複数の弦３において、均一、かつ、十分に得ることができる。
【００４５】
面７１の形状において、ｎ番目に長い弦長を持つ弦の振動時に、この弦と接触する箇所の曲率半径をＲｎとする。例えば、この曲率半径Ｒｎは、下記の式（２）によって算出してもよい。
Ｒｎ＝ｙ・Ｌｎ＋ｚ        （２）
【００４６】
上記の式（２）において、ｙは倍率、ｚは補正値である。ｚ＝０のとき、倍率ｙは、０．１５〜１．６であることが望ましい。
【００４７】
曲率半径Ｒｎを式（２）によって算出した場合も、面７１の凸曲面は、弦３の振動時に各弦と接触する各箇所において、より短い弦長を有する弦と接触する箇所の方が、より長い弦長を有する弦と接触する箇所よりも、小さい曲率半径を有する形状である。したがって、面７１は、弦長の異なる複数の弦３との接触を、均一、かつ、十分に得ることができる。また、高次倍音を付加した響きを、弦長の異なる複数の弦３において、均一、かつ、十分に得ることができる。
【００４８】
図１１に示したように、弦支持部７０において、第１支持点Ｐ１の位置での各面の厚さは、各弦の第１支持点Ｐ１の位置において同じ厚さＴ１になっている。このため、第１支持点Ｐ１の位置において、各弦を同じ弦高とすることができる。これにより、弦励振部５と弦３との間隔を、各弦で揃えることや、弦励振部５と弦３を、より近づけることができる。弦励振部５と各弦の間隔を揃えることや、近づけることができると、弦励振部５のエネルギーを、よりばらつき無く弦３に伝えることや、より効率良く弦３に伝えることができる。
【００４９】
面７１の、Ｐ２方向の端の厚さのうち、各弦単線３０１〜３１３と向かいあう場所は、各厚さＴ２０１〜Ｔ２１３を有している。
【００５０】
図１３は、本発明に係る弦楽器用ブリッジを構成する弦支持部の別の実施例を示す図である。図１３及び、これに関連する図１１及び図１４〜図１８を参照すると、面７１の凸曲面は、弦の振動時に各弦単線３０１〜３１３と接触する各箇所において、曲率半径Ｒ１〜曲率半径Ｒ１３までを有する形状である。面７１の凸曲面は、弦の振動時に各弦単線３０１〜３１３と接触する各箇所において、より短い弦長を有する弦と接触する箇所の方が、より長い弦長を有する弦と接触する箇所よりも、小さい曲率半径を有する形状である。面７１は、図６の弦支持部７０とは異なり、弦の振動時に各弦と接触する部分同士が、なめらかに連なる形状をもつ。
【００５１】
弦３の数は、２本以上であれば、他の本数でもよい。例えば、弦３の数を１２本とし、図１９及び、これに関連する図１４、図１５、図２０〜図２３に示す実施の形態の弦支持部７０としてもよい。
【００５２】
弦３の並び方は、他の並び方でもよい。例えば、図１９の実施例とは逆の順番となる弦３の並び方として実施してもよい。この実施例に用いられる弦支持部７０は、図２４及び、これに関連する図１４、図１５、図２０、図２５〜図２７に示されている。
【００５３】
更に、図２８及び、これに関連する図１４、図２９、図３０〜図３２に示す弦支持部７０は、弦３の数を４本とした場合の実施例である。
【００５４】
図６〜３２に示した実施の形態を通して、面７１の凸曲面は、弦３の振動時に各弦と接触する各箇所において、より短い弦長を有する弦と接触する箇所の方が、より長い弦長を有する弦と接触する箇所よりも、小さい曲率半径を有する形状である。したがって、面７１は、弦長の異なる複数の弦３との接触を、均一、かつ、十分に得ることができる。また、高次倍音を付加した響きを、弦長の異なる複数の弦３において、均一、かつ、十分に得ることができる。
【００５５】
ブリッジ７は、表面板１０１の内面に設けられたブレーシング７３の上に立設された複数の支柱７２によって支持されている。表面板１０１のうち、ブリッジ７の配置される部分は、音響効果を高める観点から、薄い方がよい。ブレーシング７３は、薄型化による機械的強度低下を補う手段となる。一方、ピン１６１〜１７３の立設される領域は、ピン１６１〜１７３に対する取付強度増大のために、厚くする。実施例では、表面板１０１の長手方向の略中間部に、厚み変化部が設定されている。既に述べたことであるが、弦３に生じた振動を電気・電子回路によって増幅する等して、外部に出す場合、或いは、ボディ部１を、外部からの音圧の影響を受けにくい構造とする場合には、ボディ部１を、薄い部分を設けずに、全体として厚くしてもよい。
【００５６】
弦励振部５は、外部から供給される電気信号によって駆動され、電気信号に応じて弦３を励振するものであって、励振器５１を有する。励振器５１は、図４に図示するように、ボディ部１の表面板１０１の内面に取り付けられている。実施例に示す励振器５１は、電磁コイルを含むマグネティック・ドライバ（電磁ドライバ）であり、磁性金属線でなる弦３に、直接に磁力線を作用させる位置に配置され、入力信号に応じて発生した磁力線の作用により、弦３を励振する。より具体的には、ジャワリブリッジ７からピン１６１〜１７３に至る弦３の中間位置において、表面板１０１の内面に支持部５２を設け、この支持部５２の上に、電磁コイルでなる励振器５１を支持する取付板５３を、例えば、ネジ留め等の手段によって固定した構造となっている。励振器５１を構成する電磁コイルは、コアの周りにコイルを巻いた周知の構造であって、コアの端面から磁力線を出す。また、励振器５１は、励振する場所の弦長に対する比率を一致させる目的で、弦３の方向に対して、斜めに配置することもある。
【００５７】
弦励振部５の励振器５１は、振動した弦３に接触しない程度に近づけた状態で配置されている。これは、できるだけ効率よく、弦３に磁力線を作用させるためである。弦３以外の磁性体に磁力線を放射すると、オリジナル音が響いてしまう。磁力線を、弦３に効率よく直接的に放射することにより、入力されたオリジナル音を、弦励振部５から発生させること無く、弦３を励振することができる。また、消費電力も押さえられる。
【００５８】
ボディ部１の表面板１０１の内面には、圧電素子を用いたピエゾ・ピックアプ１７が設置されている。ピエゾ・ピックアプ１７は、ボディ部１の表面板１０１の振動を拾うことができる。ピエゾ・ピックアプ１７は、この実施の形態では、ジャワリブリッジ７の近辺の表面板１０１に配置してあるが、ボディ部１の表面板１０１の振動を拾うことができる位置にあればよいので、図示の位置に限定されない。例えば、ブリッジ７に設置したり、或いはブリッジ７の内部に内蔵させたりすることもできる。
【００５９】
上述したように、図１〜図５に図示された弦楽器は、ボディ部１と、複数の弦３と、ブリッジ７とを含んでおり、弦３はボディ部１によって支持され、弦３を第１支持点Ｐ１で支持するブリッジ７も、ボディ部１によって支持されているから、第１支持点Ｐ１と第２支持点Ｐ２１〜P３３とによって規定される弦３の弦長、張力及び線密度等に応じた振動周波数の音が発生する。
【００６０】
本発明に係る弦楽器は、更に、弦励振部５を含んでおり、弦励振部５の励振器５１は、電気信号によって駆動され、電気信号に応じて、弦３を励振するから、声や、演奏しやすい任意の楽器などの様々な音を、音声電気信号として、弦励振部５に供給することにより、演奏技術をもたない者でも、本発明に係る弦楽器から生じた音響を楽しむことができる。
【００６１】
ブリッジ７は、第１支持点Ｐ１と、第１支持点Ｐ１よりも第２支持点Ｐ２１〜P３３の側にあって、弦３の振動時に弦３の接触する面７１とを有しているから、弦３が、弦励振部５の励振器５１からの励振信号に共振して振動したとき、弦３がブリッジ７の面７１に複雑に接触することによって、弦振動に高次倍音成分の付加された共鳴音を響かせる。したがって、演奏技術をもたない者でも、インド古典楽器のシタールと同様の、高次倍音成分の付加された共鳴音を楽しむことができる。また、弦３は弦励振部５によって励振されるため、高次倍音成分の付加された共鳴音を、簡単、かつ、十分に発生させることができる。
【００６２】
更に、面７１の凸曲面は、弦の振動時に各弦単線３０１〜３１３と接触する各箇所において、より短い弦長を有する弦と接触する箇所の方が、より長い弦長を有する弦と接触する箇所よりも、小さい曲率半径を有する形状である。したがって、面７１は、弦長の異なる複数の弦３との接触を、均一、かつ、十分に得ることができる。また、高次倍音を付加した響きを、弦長の異なる複数の弦３において、均一、かつ、十分に得ることができる。
【００６３】
しかも、図１〜図４に示した実施の形態の場合、弦３、弦励振部５及びブリッジ７は、ボディ部１の内部空間１００に配置されるから、弦３の端の尖った部分に触れてけがをする危険がなくなるほか、弦３が切れたときに、はじけた弦３でけがをする危険も無くなる。また、ボディ部１の手入れが容易になるという利点も得られる。なお、図５、図６及び図１３において、矢印Ｐ２は、第２支持点Ｐ２１〜P３３のある方向を示している。
【００６４】
次に、図３５〜図３８に示す実施の形態では、ブリッジ７は、弦支持部７０によって構成されている。弦支持部７０には、図２４に示した弦支持部７０が用いられている。なお、ブリッジ７は、図５に示したように、取付部７５を含む構成としても良い。
【００６５】
図３５〜図３８を参照するに、ボディ部１は、内部空間１００を画定する表面板１０１、裏面板１０２及び４枚の側面板１０３〜１０６を有する。
【００６６】
この実施例では、１２本の弦単線３０１〜３１２が備えられているから、１２本のペグ９０１〜９１２が備えられている。
【００６７】
４つの側面板１０３〜１０６のうち、側面板１０５には、電源スイッチ兼入力ボリューム用のポット１２１、オリジナル・ボリューム用のポット１２２、出力ボリューム用のポット１２３、入力ジャック１３１、出力ジャック１３２、電源ジャック１３３が配置されている。
【００６８】
弦３の弦単線３０１〜３１２は、一端が、側面板１０６の側において、表面板１０１の内面に設けたテールピース１４２によって固定され、表面板１０１の内面に添って、側面板１０６と対向する側面板１０５の方向に導かれる。テールピース１４２は、表面板１０１の内面に形成された取付部１４１に、ネジ１４３等によって固定されている（図３８参照）。弦３の各弦単線３０１〜３１２は、更に、表面板１０１の内面に立設されたピン１６１〜１７２に架けられ、他端が、表面板１０１の表面側から内面側に貫通させたペグ９０１〜９１２の巻取軸９２１〜９３２に巻き取られる。
【００６９】
実施例において、弦単線３０１〜３１２は、凸曲面である面７１との接触点を第１支持点Ｐ１とし、ピン１６１〜１７２との接触点を第２支持点Ｐ２１〜Ｐ３２とする弦長を有する（図３７〜図３８参照）。
【００７０】
ブリッジ７は、表面板１０１の内面に設けられたブレーシング７３の上に立設された複数の支柱７２によって支持されている。
【００７１】
ボディ部１の側面板１０４には、ボディ部１の外側に向けて、内蔵マイク１８が設置されている。内蔵マイク１８（図３５、図３６参照）には、好ましくは、小型の単一指向性マイクが用いられる。
【００７２】
上述したように、図３５〜図３８に図示された弦楽器は、ボディ部１と、複数の弦３と、ブリッジ７とを含んでおり、弦３はボディ部１によって支持され、弦３を第１支持点Ｐ１で支持するブリッジ７も、ボディ部１によって支持されているから、第１支持点Ｐ１と第２支持点Ｐ２１〜Ｐ３２とによって規定される弦３の弦長、張力及び線密度等に応じた振動周波数の音が発生する。
【００７３】
ブリッジ７は、第１支持点Ｐ１と、第１支持点Ｐ１よりも第２支持点Ｐ２１〜Ｐ３２の側にあって、弦３の振動時に弦３の接触する面７１とを有しているから、弦３が、弦励振部５の励振器５１からの励振信号に共振して振動したとき、弦３がブリッジ７の面７１に複雑に接触することによって、弦振動に高次倍音成分の付加された共鳴音を響かせる。したがって、演奏技術をもたない者でも、インド古典楽器のシタールと同様の、高次倍音成分の付加された共鳴音を楽しむことができる。また、弦３は弦励振部５によって励振されるため、高次倍音成分の付加された共鳴音を、簡単、かつ、十分に発生させることができる。
【００７４】
更に、面７１の凸曲面は、弦の振動時に各弦単線３０１〜３１２と接触する各箇所において、より短い弦長を有する弦と接触する箇所の方が、より長い弦長を有する弦と接触する箇所よりも、小さい曲率半径を有する形状である。したがって、面７１は、弦長の異なる複数の弦３との接触を、均一、かつ、十分に得ることができる。また、高次倍音を付加した響きを、弦長の異なる複数の弦３において、均一、かつ、十分に得ることができる。なお、図２４において、矢印Ｐ２は、第２支持点Ｐ２１〜Ｐ３２のある方向を示している。
【００７５】
次に、図３９〜図４１を参照すると、弦３及びブリッジ７は、ボディ部１の表面板１０１の表面（外面）に配置されている。弦励振部５は、ボディ部１の内部空間１００に配置されている。ブリッジ７は、弦支持部７０によって構成されている。弦支持部７０には、図１９に示した弦支持部７０が用いられている。弦３及びブリッジ７が、ボディ部１の外面に配置されていて、弦励振部５を構成する励振器５１の電磁コイルがボディ部１の内部空間１００に配置されている。したがって、励振器５１の電磁コイルからの磁力線は、表面板１０１を介して、弦３に作用することになる。弦励振部５は、図４０及び図４１に示すように、表面板１０１の内面に連続する支持部５２を設け、この支持部５２の上に、励振器５１を支持する取付板５３を、例えば、ネジ留め等の手段によって固定した構造となっている。
【００７６】
図３９〜図４１に図示した実施の形態の場合も、ブリッジ７は、弦３の接触する面７１が凸曲面のジャワリブリッジ７であるから、シタールと同様の、高次倍音成分の付加された共鳴音を楽しむことができる。更に、面７１の凸曲面は、弦の振動時に各弦単線３０１〜３１２と接触する各箇所において、より短い弦長を有する弦と接触する箇所の方が、より長い弦長を有する弦と接触する箇所よりも、小さい曲率半径を有する形状である。したがって、面７１は、弦長の異なる複数の弦３との接触を、均一、かつ、十分に得ることができる。また、高次倍音を付加した響きを、弦長の異なる複数の弦３において、均一、かつ、十分に得ることができる。なお、図１９において、矢印Ｐ２は、第２支持点Ｐ２１〜Ｐ３２のある方向を示している。
【００７７】
次に、図４２及び図４３の実施の形態でも、弦励振部５は、電磁コイルでなる励振器５１を含んでおり、弦３に対する作用端部となるコア端部５１１が、弦３及びブリッジ７のある表面板１０１の表面に露出している。ブリッジ７は、弦支持部７０によって構成されている。弦支持部７０には、図１９に示した弦支持部７０が用いられている。励振器５１を構成する電磁コイルの大部分は、ボディ部１の内部空間１００にあって、そのコア端部５１１だけが、表面板１０１に設けられた貫通孔を貫通して、表面に導かれる。したがって、励振器５１を構成する電磁コイルのコア端部５１１から生じる磁力線が、表面板１０１を間に介することなく、弦３に直接的に作用し、これを励振することになる。
【００７８】
次に、図４４に図示された弦楽器について説明する。図４４に示した実施の形態の特徴は、弦励振部５の励振器５５が、圧電振動子で構成されていることである。励振器５５を構成する圧電振動子は、円板状の圧電基板５５１の周辺を、錘となるリング５５２によって縁取った構造を持ち、圧電基板５５１の中心部に連結した振動棒から、圧電振動を取り出すようになっている。もっとも、励振器５５を構成する圧電振動子は、図示のものに限定されない。
【００７９】
図４４に示した実施の形態によれば、圧電振動子で構成された励振器５５を電気信号によって駆動すると、励振器５５の圧電振動子に生じた電歪振動が振動棒からブリッジ７に伝達される。そして、ブリッジ７の振動を介して、弦３が励振される。ブリッジ７は、弦支持部７０によって構成されている。弦支持部７０には、図２４に示した弦支持部７０が用いられている。図示は省略するが、励振器５５を構成する圧電振動によって、ボディ部１の表面板１０１を励振し、ボディ部１の振動を介して、弦３を間接的に励振してもよい。図４４において、矢印Ｐ２は、第２支持点Ｐ２１〜Ｐ３２のある方向を示している。
【００８０】
図４４に示した励振器５５において、圧電振動子の代わりに、磁歪振動子、超磁歪振動子を用いてもよい。
【００８１】
図４５及び図４６は、励振器６０の具体的な構造を示す図である。これらは、何れもボイスコイル型励振器である。まず、図４５に示す励振器６０は、キャップ状の第１ヨーク６０１の筒状端面にリング状第２ヨーク６０３を配置すると共に、第１ヨーク６０１の中心部に配置した永久磁石６０２の先端面に第３ヨーク６０６を配置し、第３ヨーク６０６と第２ヨーク６０３との間に生じる隙間に、コイル６０４を配置した構造になっている。第２ヨーク６０３の下側には、弾性材でなるダンパ６０５が設けられており、ダンパ６０５の側を、取付板６０７に取り付けてある。
【００８２】
図４６に示すボイスコイル型励振器６０は、リング状のマグネット６０２を、第１ヨーク６０１及びリング状の第２ヨーク６０３で挟み込んである。第１ヨーク６０１は、中心ヨーク部をリング状マグネット６０２及びリング状第２ヨーク６０３の中心孔内に位置させてあり、リング状第２ヨーク６０３の内面と第１ヨーク６０１との間に発生するリング状の隙間に、コイル６０４を配置した構造となっている。第２ヨーク６０３と支持体との間には、ダンパ６０５が配置されている。もっとも、ボイスコイル型励振器６０は、図４５、図４６に図示された構造のものに限らず、種々のタイプのものを用いることができる。
【００８３】
図４７は、ボイスコイル型励振器６０によって構成される弦励振部５により、ボディ部１の、例えば表面板１０１を励振し、ボディ部１の振動によって、弦を間接的に励振する例を示している。
【００８４】
次に、図４８〜図５０の実施の形態では、ボディ部１の内部空間１００にスピーカ６００を、弦３と向き合うように配置し、スピーカ６００の音圧によって、ボディ部１の内部空間１００に張設された弦３を励振するようになっている。表面板１０１には、スピーカ６００と向き合う位置に貫通孔１１１が設けられている。スピーカ６００は、表面板１０１の内面に設けた支持台５７の上に取り付けられている。ブリッジ７は、弦支持部７０によって構成されている。弦支持部７０には、図２４に示した弦支持部７０が用いられている。
【００８５】
次に、図５１及び図５２に示す実施の形態では、ブリッジ７は、第１支持点Ｐ１とともに、第１支持点Ｐ１よりも第２支持点Ｐ２１〜Ｐ３２の側にあって、弦３の振動時に、弦３の接触する面７１を有している。ボディ部１の内部空間１００にスピーカ６００を、弦３と向き合うように配置し、スピーカ６００の音圧によって、ボディ部１の表面板１０１の外面に張設された弦３を励振するようになっている。表面板１０１には、スピーカ６００と向き合う位置に貫通孔１１１が設けられている。スピーカ６００は、表面板１０１の内面の一部を構成する支持台５７の上に取り付けられている（図５２参照）。ブリッジ７は、弦支持部７０によって構成されている。弦支持部７０には、図１９に示した弦支持部７０が用いられている。
【００８６】
図３５〜図５２の実施の形態の場合も、ブリッジ７は、弦３の接触する面７１が凸曲面のジャワリブリッジ７であるから、演奏技術をもたない者でも、シタールと同様の、高次倍音成分の付加された共鳴音を楽しむことができる。
【００８７】
更に、図３５〜図５２の実施の形態の場合を通して、面７１の凸曲面は、弦の振動時に各弦単線３０１〜３１２と接触する各箇所において、より短い弦長を有する弦と接触する箇所の方が、より長い弦長を有する弦と接触する箇所よりも、小さい曲率半径を有する形状である。したがって、面７１は、弦長の異なる複数の弦３との接触を、均一、かつ、十分に得ることができる。また、高次倍音を付加した響きを、弦長の異なる複数の弦３において、均一、かつ、十分に得ることができる。なお、図３５〜図５２の実施の形態において、ブリッジ７は、図５に示したように、取付部７５を含む構成としても良い。
【００８８】
２．第２のタイプの弦楽器
図５３〜図５５及び図６０に示す実施の形態では、ブリッジ７は、弦支持部７０によって構成されている。弦支持部７０には、図２８に示した弦支持部７０が用いられている。なお、ブリッジ７は、図５に示したように、取付部７５を含む構成としても良い。
【００８９】
図５３〜図５５及び図６０に示す実施の形態では、弦３の弦単線３０１〜３０４毎に、励振器及びその振動を電気信号に変換する変換器が備えられている。具体的には、ボディ部１の表面板１０１の内面に配置された弦３の各弦単線３０１〜３０４のそれぞれに対して、第１励振器２１１、第２励振器２３２、第３励振器２１３及び第４励振器２３４を対向して配置してある。第１励振器２１１の対向する弦単線３０１に第１変換器２２１を対向させ、第２励振器２３２の対向する弦単線３０２に第２変換器２４２を対向させ、第３励振器２１３の対向する弦単線３０３に第３変換器２２３を対向させ、第４励振器２３４の対向する弦単線３０４に第４変換器２４４を対向させてある。第１励振器２１１〜第４励振器２３４及び第１変換器２２１〜第４変換器２４４は、何れも電磁コイルである。
【００９０】
図示の例では、第１励振器２１１、第３励振器２１３、第１変換器２２１及び第３変換器２２３を、一つの支持台２１５の一面上に取り付けて、第１組み立て体２１を構成し、第１組み立て体２１の支持台２１５を、側面板１０３、１０４の内面に添って、表面板１０１の内面に立設した取付部５７１、５７２に取り付けた構造となっている。同様に、第２励振器２３２、第４励振器２３４、第２変換器２４２及び第４変換器２４４を、一つの支持台２３５の一面上に取り付けて、第２組み立て体２３を構成し、第２組み立て体２３の支持台２３５を、第１組み立て体２１から間隔をおいて、側面板１０３、１０４の内面に添って表面板１０１の内面に立設した取付部５７１、５７２に取り付けた構造となっている。
【００９１】
図５３〜図５５及び図６０の実施の形態の場合も、面７１の凸曲面は、弦の振動時に各弦単線３０１〜３０４と接触する各箇所において、より短い弦長を有する弦と接触する箇所の方が、より長い弦長を有する弦と接触する箇所よりも、小さい曲率半径を有する形状である。したがって、面７１は、弦長の異なる複数の弦３との接触を、均一、かつ、十分に得ることができる。また、高次倍音を付加した響きを、弦長の異なる複数の弦３において、均一、かつ、十分に得ることができる。なお、図２８において、矢印Ｐ２は、第２支持点Ｐ２１〜Ｐ２４のある方向を示している。
【００９２】
図５３〜図５５に示す実施の形態に係る弦楽器の動作については、図５８〜図６０を参照して後で詳しく説明する。
【００９３】
３．回路・音響情報系
本発明に係る弦楽器の回路・音響情報系は、図１〜図５２に図示された弦楽器に向けられた図５６〜図５７の回路・音響情報系と、図５３〜図５５に図示された弦楽器に向けられた図５８〜図６０の回路・音響情報系の２つに大別される。なお、図５６〜図６０において、点線矢印付ラインは、音響・音圧伝搬を示す。
（１）図５６〜図５７の回路・音響情報系
【００９４】
図５６は、図１〜図５２に示した弦楽器及びその電気・電子回路とともに、音響情報の流れを示すブロック図、図５７は弦楽器と外部との間の電気・電子回路とともに、音響情報の流れを示すブロック図である。図において、参照符号Ａは本発明に係る弦楽器を示し、参照符号Ｂは外部入力機器または入力信号を示し、参照符号Ｃは外部音響を示している。図５６及び図５７は、一つの図として統合できるものであるが、紙面の都合から、２つに分けて示した。以下、図５６及び図５７とともに、随時、図１〜図５２を参照しながら説明する。
【００９５】
まず、外部で演奏された、楽器音や声などの音４０は、内蔵マイク１８によって拾われる。マイクやピックアップ４１が内蔵された楽器の音４０は、内蔵マイク１８によって拾う方法の他、入力ジャック１３１から、音響情報を入力することもできる。電気ギターや電子ピアノなどの電気楽器４２は、入力ジャック１３１から音響情報を入力する。また、音楽プレーヤーやパソコンからの音声信号４３も、入力ジャック１３１から、音響情報を入力することができる。
【００９６】
外部からの音声信号及び内蔵マイク１８からの信号は、入力ジャック１３１に組み込まれた入力セレクタ８０１によって選択される。入力ジャック１３１に、外部からの音声信号を伝送するプラグが接続されると、入力ジャック１３１からの音声信号が選択される。一方、入力ジャック１３１に外部からの音声信号を伝送するプラグが接続されなければ、内蔵マイク１８からの信号が選択される。入力セレクタ８０１によって選択された入力装置からの音声信号は、入力ボリューム８０２で入力音量が調節される。入力ボリューム８０２で音量調節された音声信号は、内蔵アンプ８０３で増幅される。
【００９７】
内蔵アンプ８０３で増幅された音声信号は、弦励振部５に供給される。そして、弦励振部５によって、弦３が振動させられる。振動させられた弦３は、ブリッジ７の面７１の複数の点で接触することにより、高次倍音成分の付加された共鳴音を響かせる。即ち、弦３が、弦励振部５からの励振信号に共振して振動したとき、弦３がブリッジ７の面７１に複雑に接触することによって、さまざまな次数の高次倍音成分が弦振動に付加され、高次倍音成分の付加された共鳴音を響かせる。したがって、演奏技術を持たない者であっても、高次倍音成分の付加された共鳴音を楽しむことができる。また、弦３は弦励振部５によって励振されるため、高次倍音成分の付加された共鳴音を、簡単、かつ、十分に発生させることができる。
【００９８】
更に、面７１の凸曲面は、弦３の振動時に各弦と接触する各箇所において、より短い弦長を有する弦と接触する箇所の方が、より長い弦長を有する弦と接触する箇所よりも、小さい曲率半径を有する形状である。したがって、面７１は、弦長の異なる複数の弦３との接触を、均一、かつ、十分に得ることができる。また、高次倍音を付加した響きを、弦長の異なる複数の弦３において、均一、かつ、十分に得ることができる。
【００９９】
弦３の振動音は、表面板１０１及びボディ部１に伝わり、アコースティックな音響６２として放出されるともに、ピエゾ・ピックアップ８０８によって拾われ、更に、出力ボリューム８１０によって調節され、出力ジャック１３２から出力される。
【０１００】
また、入力セレクタ８０１から分岐されたオリジナル音の音響信号は、オリジナル・ボリューム８１６でオン・オフと音量が調節され、オンの場合は出力ジャック１３２から出力される。
【０１０１】
出力ジャック１３２から出力された音声信号は、外部のアンプ８１２とスピーカ８１３を通して、音量が増幅された音響６３として放出される。または、外部の録音機器８１４に直接録音される。
【０１０２】
上記の音響情報の伝達の結果、楽器音や声などの音４０を発すると、オリジナル音響６１が響くと同時に、その音に反応して、共鳴音のアコースティック音響６２が響く。また、外部アンプ８１２及びスピーカ８１３が設置されていると、そのオリジナル音と、高次倍音成分が付加された共鳴音がミックスされた増幅音響６３が響く。このとき、ミックスされる割合は、オリジナル・ボリューム８１６及び出力ボリューム８１０を調整することにより、自在に調整することができ、オリジナル音のみや、高次倍音成分が付加された共鳴音のみを、増幅音響６３として響かせることもできる。
【０１０３】
電気ギターや電子ピアノなどの電気楽器４２を演奏した場合や、録音された音源を音楽プレーヤーやパソコン４３などから再生させた場合は、外部アンプ８１２及びスピーカ８１３が設置されていると、そのオリジナル音と、高次倍音成分の付加された共鳴音とをミックスした増幅音響６３が響く。このとき、ミックスされる割合は、オリジナル・ボリューム８１６及び出力ボリューム８１０を調整することにより、自在に調整することができ、オリジナル音のみや、高次倍音成分が付加された共鳴音のみを、増幅音響６３として響かせることもできる。また、オリジナル音のみの増幅音響６３の音量を調節し、高次倍音成分が付加された共鳴音のアコースティック音響６２と一緒に響かせることや、高次倍音成分が付加された共鳴音のアコースティック音響６２のみを響かせることもできる。また、これらを外部録音機器８１４に録音することもできる。
（２）図５８〜図６０の回路・音響情報系
【０１０４】
図５８、図５９は、主として、図５３〜図５５に示した弦楽器及びその電気・電子回路とともに、音響情報の流れを示すブロック図である。図５８及び図５９は、一つの図として統合できるものであるが、紙面の都合から、２つに分けて示した。図５８、図５９では、特に、図５３〜図５５の弦楽器の音響情報の流れに関係する部分だけを取り出して示してある。図５８、図５９において、図５６、図５７に現れた部分に対応する部分については、同一参照符号を付し、重複説明は省略する。
【０１０５】
図５８及び図５９とともに、図５３〜図５５を参照しながら説明すると、弦単線３０１〜３０４に独立して向けられた第１変換器２２１〜第４変換器２４４からの信号を、同じ弦単線に独立して用意された内蔵アンプ８２７を通して、同じ弦に独立して向けられた第１励振器２１１〜第４励振器２３４に送る。上記回路は、弦３の振動→マグネチック・ピックアップ（電磁コイルによる変換器）→内蔵アンプ８２７→マグネチック・ドライバ（電磁コイルによる励振器）→弦３の励振という正帰還形の発振回路を構成する。
【０１０６】
上述した発振回路によると、弦３を鳴らしていない状態であっても、正帰還ループ内で起こるノイズなどをトリガ信号として、正帰還が起こり、弦３に含まれる弦単線３０１〜３０４のうち、対応する弦単線が、その共振周波数で振動を始める。振動し始めた弦３は、その振動を一定の振幅まで成長させるため、弦振動の音が、わき上がるように響く。一定の振幅まで成長し、安定状態に達すると、その安定状態で、弦振動は持続される。動作を停止すると、弦振動は減衰して鳴り止む。
【０１０７】
このとき、図５３及び図６０に図示したように、弦３は、ジャワリブリッジ７に支えられているため、高次倍音成分の付加された音をわき上がるように立ち上がらせたのち、高次倍音成分が付加された持続音を響かせ続けることができる。動作を停止すると、高次倍音成分の付加された音が、自然な減衰を始め、やがて鳴り止む。
【０１０８】
上述したように、図５３〜図５５に示した弦楽器によれば、演奏技術をもたない者でも、高次倍音成分の付加された持続音を、簡単、かつ、十分に発生させ、その持続音を楽しむことができる。
【０１０９】
更に、面７１の凸曲面は、弦３の振動時に各弦と接触する各箇所において、より短い弦長を有する弦と接触する箇所の方が、より長い弦長を有する弦と接触する箇所よりも、小さい曲率半径を有する形状である。したがって、面７１は、弦長の異なる複数の弦３との接触を、均一、かつ、十分に得ることができる。また、高次倍音を付加した響きを、弦長の異なる複数の弦３において、均一、かつ、十分に得ることができる。
【０１１０】
内蔵アンプ８２７に含まれる各内蔵アンプは、コントロール部８０４によって、個別に制御される。内蔵アンプ８２７の動作開始、動作順序、信号増幅度、動作停止、更には、動作開始と動作停止の周期等は、コントロール部８０４によって実行される。制御方法としては、好ましくは、アナログ的な手法が用いられる。もっとも、コントロール部８０４を、CPU（Central Processing Unit）や、MPU（Micro-Processing Unit）等を含む構成とし、内蔵アンプ８２７をプログラム制御してもよい。コントロール部８０４による内蔵アンプ８２７の設定に関しては、例えば、次のような場合を例示することができる。
【０１１１】
（ａ）弦単線３０１〜３０４の全て、又は、任意に選択された弦単線を、持続的に鳴らし続けるように設定する。
（ｂ）弦単線３０１〜３０４のそれぞれについて、個別に、動作開始と動作停止のタイミングを設定し、鳴らし続ける。
（ｃ）弦単線３０１〜３０４のそれぞれについて、その動作開始及び動作停止がランダムに現れるようなプログラムを設定し、鳴らし続ける。
【０１１２】
上記（ａ）〜（ｃ）のような設定をすることにより、タンブーラのように高次倍音成分が複雑に絡み合った持続音を、任意の音程に調律された弦から響かせ続けることができる。特に、各弦単線３０１〜３０４を一定のリズムで順番に鳴らし続ける設定によると、タンブーラの演奏に近い音響となる。
【０１１３】
図６０は、内蔵アンプ８２７及びコントロール部８０４の具体的な回路構成を示している。図を参照すると、内蔵アンプ８２７は、弦単線３０１〜３０４の本数に合わせて、内蔵アンプ８３１〜８３４の４つを備えている。まず、内蔵アンプ８３１は、弦単線３０１に備えられた変換器２２１から供給される弦振動検出信号を増幅し、その増幅信号を、弦単線３０１を励振する励振器２１１に供給する。他の内蔵アンプ８３２〜８３４のそれぞれも、弦単線３０２〜３０４のそれぞれに備えられた変換器２４２、２２３、２４４から供給される弦振動検出信号のそれぞれを増幅し、その増幅信号を、弦単線３０２〜３０４を励振する励振器２３２、２１３、２３４のそれぞれに、個別に供給する。
【０１１４】
４．変形例
本発明に係る弦楽器は、更に、以下のような変形が可能である。
（１） 図１〜図５２に図示した弦楽器は、外部からの音に反応して、高次倍音成分が付加された共鳴音を響かせるが、図５６に示すように、FM音源などのサウンドチップを使用した内蔵音源・内蔵音源のコントロール部８１９を搭載し、これから発生される音声信号を、内蔵アンプ８０３で増幅したうえで、励振部５に送ることにより、共鳴音を響かせてもよい。
【０１１５】
これにより、例えば、内蔵音源から持続音の信号を送り、その信号に共振可能な弦が共振することにより、持続音を、アコースティックな弦振動の音として響かせ続けることができる。また、このような弦３の持続音を、内蔵音源からの信号を使って響かせ続けながら、同時に外部からの音を使って、弦振動による高次倍音成分が付加された共鳴音を一緒に響かせることもできる。
【０１１６】
（２） 図１〜図５５に図示した弦楽器において、図５６及び図５８に示すように、本発明に係る弦楽器から生じた音を拾う手段として、圧電振動子を用いたピエゾ・ピックアップ８０８の他に、内部音用の内蔵マイク８０５や、電磁コイルを用いたマグネティック・ピックアップ８１５などを設置して使用してもよい。内部音用の内蔵マイク８０５は、表面板１０１及びボディ部１の振動から発せられる音圧を捉える。マグネティック・ピックアップ８１５は、弦３の振動を捉える。本発明に係る弦楽器から生じた音を拾う手段として、複数の装置を設置した場合には、ピックアップセレクタ８０９を設置し、どの装置からの信号を出力ボリューム８１０に送るのかを選択することができる。
【０１１７】
（３）図５３〜図５５に示した実施の形態において、図５８に示すように、入力ジャック１３１、入力ボリューム８０２及び内蔵アンプ８０３等をとおして、外部から励振器８１８に信号を与えてもよい。これによると、持続音を響かせ続けながら、同時に外部からの音を使って、外部音に共振した共鳴音を、一緒に響かせることができる。もっとも、励振器８１８は、励振器２１１、２１３、２３２、２３４をそのまま用いてもよいし、別に備えてもよい。
【０１１８】
（４）図示は省略されているが、図５８に示す回路に対して、図５６及び図５７に示された構成を、適宜組み込むことができる。更には、図１〜図５２に示した弦楽器と、ボディ部１を共有する関係で組み合わせてもよい。
【０１１９】
（５）図６〜図３２に図示した弦支持部を含むブリッジ７を、シタール等の、弦長の異なる複数の弦を有する弦楽器に組み込んでもよい。
【０１２０】
（６）図１〜図６０に示した実施の形態において、弦励振部は、電磁コイル、圧電振動子、磁歪振動子、超磁歪振動子、ボイスコイル型励振器、またはスピーカ等によって構成される。これらは、その性質に反しない限り、相互に置換することが可能である。したがって、図１〜図６０に示した各種の実施の形態において、図示された一つの実施形態は、図示されていない他の励振器の形態をも示唆するものと解釈されなければならない。また、変換器は、好ましくは、非接触型の振動検出センサで構成される。その好ましい一例は、電磁コイルである。
【符号の説明】
【０１２１】
１          ボディ部
３          弦
５          弦励振部
７          ブリッジ
１０１〜１０８    面板
【図１】
2019082511.tif 000004
【図２】
2019082511.tif 000005
【図３】
2019082511.tif 000006
【図４】
2019082511.tif 000007
【図５】
2019082511.tif 000008
【図６】
2019082511.tif 000009
【図７】
2019082511.tif 000010
【図８】
2019082511.tif 000011
【図９】
2019082511.tif 000012
【図１０】
2019082511.tif 000013
【図１１】
2019082511.tif 000014
【図１２】
2019082511.tif 000015
【図１３】
2019082511.tif 000016
【図１４】
2019082511.tif 000017
【図１５】
2019082511.tif 000018
【図１６】
2019082511.tif 000019
【図１７】
2019082511.tif 000020
【図１８】
2019082511.tif 000021
【図１９】
2019082511.tif 000022
【図２０】
2019082511.tif 000023
【図２１】
2019082511.tif 000024
【図２２】
2019082511.tif 000025
【図２３】
2019082511.tif 000026
【図２４】
2019082511.tif 000027
【図２５】
2019082511.tif 000028
【図２６】
2019082511.tif 000029
【図２７】
2019082511.tif 000030
【図２８】
2019082511.tif 000031
【図２９】
2019082511.tif 000032
【図３０】
2019082511.tif 000033
【図３１】
2019082511.tif 000034
【図３２】
2019082511.tif 000035
【図３３】
2019082511.tif 000036
【図３４】
2019082511.tif 000037
【図３５】
2019082511.tif 000038
【図３６】
2019082511.tif 000039
【図３７】
2019082511.tif 000040
【図３８】
2019082511.tif 000041
【図３９】
2019082511.tif 000042
【図４０】
2019082511.tif 000043
【図４１】
2019082511.tif 000044
【図４２】
2019082511.tif 000045
【図４３】
2019082511.tif 000046
【図４４】
2019082511.tif 000047
【図４５】
2019082511.tif 000048
【図４６】
2019082511.tif 000049
【図４７】
2019082511.tif 000050
【図４８】
2019082511.tif 000051
【図４９】
2019082511.tif 000052
【図５０】
2019082511.tif 000053
【図５１】
2019082511.tif 000054
【図５２】
2019082511.tif 000055
【図５３】
2019082511.tif 000056
【図５４】
2019082511.tif 000057
【図５５】
2019082511.tif 000058
【図５６】
2019082511.tif 000059
【図５７】
2019082511.tif 000060
【図５８】
2019082511.tif 000061
【図５９】
2019082511.tif 000062
【図６０】
2019082511.tif 000063